(57)【特許請求の範囲】
【請求項１】
第１の材料で製作された支持体(２、２０)に、ケラチン繊維(Ｃ)に製品を適用可能な少なくとも１列(９、９０−９４)の剛毛又は歯状体等のアプリケータ部材(１０、３０、９５)が軸（Ｘ）に対して横断方向に伸び、該アプリケータ部材の列が、第１の材料よりも低い剛性の第２の材料で製作された取付け部材(１２、１２０)を介して支持体（２、２０）に取り付けられ、上記取付け部材が、アプリケータ部材(１０、３０、９５)のケラチン繊維(Ｃ)への係合に応じて、上記取付け部材(１２、１２０)に形成され上記列(９、９０-９４)の長さ方向に配された関節部(１７、１７０-１７３)の回りに支持体(２、２０)に対して弾性的に回動するように構成されている、睫毛又は眉毛等のケラチン繊維(Ｃ)への製品の適用具(１)。
【請求項２】
上記第１の材料と第２の材料のオーバーモールディング、２段射出成形、又は射出オーバーモールディングにより得られたことを特徴とする請求項１に記載の適用具(１)。
【請求項３】
上記第１の材料と第２の材料が相互に融和性があることを特徴とする請求項２に記載の適用具(１)。
【請求項４】
上記第１及び第２の材料が相互に融和性がないことを特徴とする請求項２に記載の適用具(１)。
【請求項５】
支持体(２、２０)が、関節部(１７、１７０-１７３)の軸に平行なＸ軸に沿った縦長形状であることを特徴とする請求項１ないし４のいずれか１項に記載の適用具(１)。
【請求項６】
取付け部材(１２、１２０)が熱可塑性又は架橋エラストマー製であることを特徴とする請求項１ないし５のいずれか１項に記載の適用具(１)。
【請求項７】
取付け部材(１２、１２０)が、シリコーン類、天然又は合成ラテックス類、ＥＰＤＭ、ポリウレタン、ポリプロピレンとＳＢＳ、ＳＥＢＳ又はＥＰＤＭとの混合物、ＥＶＡ、超低密度ポリエチレン、ポリエステルグリコール類(ＴＰＵ)又はポリエーテルグリコール類(ＰＥＢＡ及びＣＯＰＥ)をベースにした混合物、軟質ポリ塩化ビニル(PVC)、スチレン、ポリエステル、ポリエチレンテレフタラート又はポリエチレンのエラストマーから選択される物質から製作されることを特徴とする請求項１ないし６のいずれか１項に記載の適用具(１)。
【請求項８】
第１の材料が１０００以上の曲げ係数を有し、第２の材料が１０００未満の曲げ係数を有することを特徴とする請求項１ないし７のいずれか１項に記載の適用具(１)。
【請求項９】
上記アプリケータ部材(１０、３０、９５)が、上記取付け部材(１２、１２０)を製作するのに使用されたものと同じ材料から製作されることを特徴とする請求項１ないし８のいずれか１項に記載の適用具(１)。
【請求項１０】
上記アプリケータ部材(１０、３０、９５)が、上記取付け部材(１２、１２０)が製作されたものとは異なる物質からなることを特徴とする請求項１ないし８のいずれか１項に記載の適用具(１)。
【請求項１１】
上記アプリケータ部材が剛毛(３０)、剛毛の房(１０)、歯状体(９５)、又は該部材の混合体からなることを特徴とする請求項１ないし１０のいずれか１項に記載の適用具(１)。
【請求項１２】
上記アプリケータ部材(１０、３０、９５)が、成形され、射出オーバーモールドされ、植設され、ステープル留めされ、又は機械的取付けにより保持されてなることを特徴とする請求項１１に記載の適用具(１)。
【請求項１３】
上記取り付け部材は、第２の材料により上記支持体の全体又は一部にわたって通過する少なくとも１つの通路に充填されて一体的に支持体に取り付けられていることを特徴とする請求項１ないし１２のいずれか１項に記載の適用具（１）。
【請求項１４】
一の同一の面及び／又は少なくとも２つの異なる面(８０-８３)に配設された少なくとも２列のアプリケータ部材(９０-９３)を具備することを特徴とする請求項１ないし１３のいずれか１項に記載の適用具(１)。
【請求項１５】
上記通路（１３０、１３１）が支持体の少なくとも２つの面（８０−８３）に開口しており、上記取り付け部材（１２０）のそれぞれが、支持体の第１面（８２）に整列しているアプリケータ部材の第１列（９０）に沿って、及び支持体の少なくとも第２面（８０、８１、８３）に整列しているアプリケータ部材の少なくとも第２列（９１−９３）に沿って支持体（２０）に取り付けられていることを特徴とする請求項１４に記載の適用具（１）。
【請求項１６】
第１列のアプリケータ部材(１０、３０、９５)が、第２列のアプリケータ部材(１０、３０、９５)と同一又は異なっていることを特徴とする請求項１５に記載の適用具(１)。
【請求項１７】
支持体(２)に固定されている取付け部材(１２)の部位が、製品の適用及び／又は適用時における仕上げの一部を担うことができる細溝(１４)等のレリーフが形成された支持体の一面(８)に開口していることを特徴とする請求項１３ないし１６のいずれか１項に記載の適用具(１)。
【請求項１８】
支持体(２、２０)が、第１端部(３)と第２端部(４)を有し、その間に、少なくとも１列(９、９０-９４)のアプリケータ部材(１０、３０、９５)が配設されていることを特徴とする請求項１ないし１７のいずれか１項に記載の適用具(１)。
【請求項１９】
上記第１及び第２端部(３、４)の少なくとも一方は、アプリケータ適用具(１)が、アプリケータ適用具(１)に所定量の製品を付与可能とするためのワイパー部材(１０６)をより容易に通過できるような形状とされていることを特徴とする請求項１８に記載の適用具(１)。
【請求項２０】
第１端部(３)及び第２端部(４)の少なくとも一方及び／又は他方は、取付け部材(１２、１２０)が製作された材料と同じ材料で製作されていることを特徴とする請求項１８又は１９に記載の適用具(１)。
【請求項２１】
上記アプリケータ部材の列(９、９０-９４)が、支持体(２、２０)に隣接する縁部に対向した自由縁部(２１)を有し、自由縁部(２１)が凸状、凹状又は傾斜形状を有することを特徴とする請求項１ないし２０のいずれか１項に記載の適用具(１)。
【請求項２２】
第１端部が把持部材(１０５)に固定されるか又はこれを形成し、第１端部に対向する第２端部が請求項１ないし２１のいずれか１項に記載のアプリケータ適用具(１)に取り付けられたステム部(１０２)を有するアプリケータであって、アプリケータ適用具(１)の支持体(２、２０)がステム部の縦軸に平行な軸(Ｘ)に沿った縦長の形態であるアプリケータ(１１０)。
【請求項２３】
製品を収容する容器(１０１)を具備する睫毛又は眉毛等のケラチン繊維に製品を収容し適用するための装置であって、該容器(１０１)がワイパー部材(１０６)の近傍の開口部を形成し、該装置は請求項２２に記載のアプリケータ(１１０)を具備し、該ワイパー部材(１０６)が、アプリケータ適用具(１)がステム部(１０２)に対してほぼ長さ方向に向く移動においてそこを通過するようになされたものである装置(１００)。
【発明の詳細な説明】
【０００１】
【発明の属する技術分野】
本発明は、睫毛又は眉毛等のケラチン繊維に製品を適用する器具に関する。製品はマスカラ等のメークアップ用品及び／又はケア用品である。また、本発明はこのような器具を具備する収容適用装置に関する。
【０００２】
【従来の技術及び発明が解決しようとする課題】
製品を塗布するための部材、製品溜めを形成しアプリケータが処理表面に係合されたときに処理表面に製品を付与可能な特に歯、剛毛、剛毛の房又は他のレリーフ形態のものを備えた一般に剛性の支持体を具備するブラシ又は櫛形のアプリケータが知られている。このようなアプリケータ部材は、特に、支持体上に成形、射出オーバーモールディング又はステープル留めされる。
一般に、このような櫛又はブラシはサイズが比較的小さく、その結果、その適用の際に比較的堅いものとなる。よって、このようなアプリケータは、特に眼のような非常に敏感な部位の近くの領域が処理される場合、処理表面に対して攻撃的であることが認められる。さらに、この剛性のために、このようなアプリケータは、付着した製品を広げることになると、その多くの部分を取り除く傾向があり、比較的厚い製品の被覆を塗布することが非常に困難であった。
【０００３】
【課題を解決するための手段】
従って、本発明の目的の一つは、適用時に可撓性があり、より快適な使用感のある、ケラチン繊維、特に睫毛及び眉毛に製品を適用する装置を製作することにある。
本発明の他の目的は、製作が簡単で経済的なこのようなアプリケータを製造することにある。
本発明のさらなる他の目的は、非常に多くの異なったメークアップ容貌を可能にする的用具、特にメークアップ製品の適用具を製作することにある。
本発明の他のさらなる目的は、十分な量の製品を付与することを可能にするアプリケータ器具を製作することにある。
他の目的は、以下の詳細な説明を読むことにより明らかになるであろう。
【０００４】
本発明の第１の側面によれば、これらの目的は、第１の材料で製作された支持体に、ケラチン繊維に製品を適用可能な少なくとも１列の剛毛又は歯状体等のアプリケータ部材が形成されてなり、該アプリケータ部材の列が、第１の材料よりも低い剛性の第２の材料で製作された取付け部材を介して支持体に連結され、取付け部材が、アプリケータ部材のケラチン繊維への係合に応じて、上記取付け部材に形成され上記列の長さ方向に沿って配向された関節部の回りに支持体に対して弾性的に回動するように構成されている、睫毛又は眉毛等のケラチン繊維への製品の適用具を製作することにより達成される。
本発明において、材料の剛性は材料の曲げ係数として定義することができ、これは例えば規格ＮＦ Ｔ ５１-００１に定義されている条件での試験により決定することができる。
【０００５】
材料の剛性の差により、異なる方向において異なる剛性を有する構造体を製作することが可能になり、これは、特に、アプリケータ器具を貫通させるワイパーを有するタイプの収容適用装置に器具が組み込まれる場合に特に幾つかの利点を示す。起こることは、「剛性」の支持体が、ワイパー部材に容易に導入することができることが必要であり、アプリケータ具がワイパー部材を離れる際にその長さのほぼ全体にわたって製品を均一に付与することを可能にする安定性をアプリケータ適用具に付与することである。
【０００６】
適用の際、支持体に対するアプリケータ部材の特定の取り付け形により、処理される繊維にアプリケータ部材により作用させられる圧力がかなり低減する結果となり、適用時により多くの快適感をもたらす。さらに、処理面に対してのアプリケータ部材の圧力が低減されるため、製品のより厚い被覆を施すことができる。加えて、製品を適用するとき、特に睫毛にメークアップを施す場合、適用の移動の終わりには、関節部により生じる弾性復元力による加速が付随し、この加速により睫毛をより良好にカールし、及び／又はより長くすることが可能になる。最後に、製品を適用する器具、特に眉毛にメークアップを施すための器具である場合、このような関節をなした取り付けにより、より清潔な適用を可能にし、特に眉毛の近くの製品で皮膚を汚す危険性を低減することができる。
好ましくは、関節部は、ヒンジとして作用する、取付け部材のより厚みの薄い領域に形成される。
【０００７】
本発明の装置は、第１及び第２の材料のオーバーモールディング、２段射出成形、又は射出オーバーモールディングにより得ることができる。使用される材料は相互に融和性があってもなくてもよい。
好ましくは、取付け部材は熱可塑性又は加硫エラストマーから製作され、支持体は非弾性的な熱可塑性材料から製作される。低密度又は超低密度の非弾性的熱可塑性材料、例えばある種のポリエチレン類を取付け部材の製作に使用することもできる。
例を挙げると、取付け部材は、シリコーン類、天然又は合成ラテックス類、ＥＰＤＭ、ポリウレタン、ポリプロピレンとＳＢＳ、ＳＥＢＳ又はＥＰＤＭとの混合物、超低密度ポリエチレン、ポリエステルグリコール類(ＴＰＵ)又はポリエーテルグリコール類(ＰＥＢＡ及びＣＯＰＥ)をベースにした混合物、エチレンビニルアセタート(ＥＶＡ)、軟質ポリ塩化ビニル(ＰＶＣ)、スチレン、ポリエステル、ポリエチレンテレフタレート又はポリエチレンのエラストマーから選択される材料から製作することができる。支持体については低密度又は高密度ポリエチレン、ポリプロピレン、ポリアセタール、ナイロン、ポリスチレン、ポリカーボネート又はポリエチレンテレフタレートから製作することができる。
【０００８】
好ましくは、支持体を形成する材料は１０００又はそれ以上の曲げ係数を有する。取付け部材を形成する材料は１０００より低い曲げ係数を有する。
例を挙げると、支持体を形成するためには、１１５０〜１５００ＭＰａの曲げ係数を有する高密度ポリエチレン、又は２４００ＭＰａオーダーの曲げ係数を有するポリカーボネートが使用され、取付け部材用には、２０〜７５０ＭＰａの曲げ係数を有し、ＰＥＢＡＸ(登録商標)の商品名でエルフ-アトケム(Elf-Atochem)社から販売されているポリエーテルブロックアミド(ＰＥＢＡ)が使用される。また、取付け部材用には５０〜５００ＭＰａの曲げ係数を有し、ＨＹＴＲＥＬ(登録商標)の商品名でデュポン(Dupont de Nemours)社から販売されている、ポリエステル配列で物理的に架橋したポリエーテルが使用される。またさらに、取付け部材用には２６０ＭＰａオーダーの曲げ係数を有し、ＳＵＲＬＹＮ(登録商標)の商品名でデュポン社から販売されてる材料が使用される。
【０００９】
アプリケータ部材は、取付け部材の製作に使用したものと同じ材料からなっても、又は異なる材料からなってもよい。
アプリケータ部材は、特に剛毛、剛毛の房、歯状体、又はこのような部材の混合体からなる。このようなアプリケータ部材は、処理される繊維上での滑り性を改善しうるフィラーを含有してもよい。アプリケータ部材が製作されている材料は、おそらくは磁化された磁性粒子を含有していてもよく、あるいは適用される製品と接触して放出され得る活性成分、特に殺菌剤、細菌発育阻止剤又は湿気吸収剤を含有していてもよい。
【００１０】
アプリケータ部材が剛毛からなる場合、これらは異なる直径及び／又は性質及び／又は長さ及び／又は断面を有しうる。剛毛の端部は、特にカーディング又は機械加工により処理されていてもよい。剛毛の自由端は「小玉(bobble)状」か「ネイルヘッド状」にしてもよい。このような端部加工はアプセッタ鍛造又は機械加工により熱間形成又は冷間形成される。剛毛又は剛毛の房は、好ましくは互いに平行である。剛毛は、その表面に、製品保持性を改善可能な粗さを有する。さらに、剛毛の表面は、螺旋状に繊維に沿って進み、一方向又は他方向に向きを変える少なくとも１つのリブ及び／又は溝を有していてもよい。
【００１１】
歯状体の構造の場合には、これらは少なくとも一列の形で整列している。列の内部では、歯状体は、基部の整列軸の各側に交互に、その基部は整列し、その自由端はずれている。一つの同じ列の２つの連続した歯状体は、特にそれらの基部において、列の軸に対して直角に又は列の軸に沿って重なり合うか、又は隣接している。好ましくは、一つの同じ列の又は２つの隣接した列の２つの連続した歯状体は、特にアプリケータ器具を側面から見た場合に、繊維がアプリケータ器具と係合する際に繊維を把持可能なＶ字型を形成し、製品の展伸と繊維の伸長及び／又はカーリングが促進される。剛毛の場合と同様に、歯状体は、それらの側面に、製品の保持性を促進可能なレリーフ、粗さ又は角度のある形状を有していてもよい。
それらの形状及び／又は性質及び／又は所望される植設に応じて、アプリケータ部材は成形され、射出オーバーモールディングされ、植設され、ステープル留めされ、又は機械的な取り付けにより保持される。
【００１２】
好ましくは、取付け部材は、支持体の全体又は一部にわたって通過する少なくとも１つの通路に固定された少なくとも１つの部位を介して支持体に取り付けられる。好ましくは、支持体の実質的に全長にわたって延びるこのような通路は、少なくとも２つの対向面又は隣接面に開口している。
【００１３】
特定の一実施態様では、アプリケータ器具は一つの同一の面及び／又は少なくとも２つの異なる面に配設された少なくとも２列のアプリケータ部材を具備する。好ましくは、通路が支持体の少なくとも２つの面に開口しており、支持体に固定されている取付け部材の部位は、支持体の第１面に配設されたアプリケータ部材の第１列と、少なくとも支持体の第２面に配設されたアプリケータ部材の少なくとも第２列に取り付けられている。
【００１４】
第１列のアプリケータ部材は、第２列のアプリケータ部材と同一でも異なっていてもよい。特に、列の一方は、断面及び／又は剛性及び／又は密度が、他の列の剛毛の断面及び／又は剛性及び／又は密度と異なる剛毛を使用して製作してもよい。あるいは、一方の列は、その植設が他の列の植設と異なった歯状体で製作されていてもよい。適用時には、アプリケータ部材の一方の列は実際の適用のために使用することができ、他方は繊維の仕上げ又は櫛ですくために使用することができる。あるいは、使用者は必要とするメークアップのタイプに応じて一方又は他方の列を選択することができる。
【００１５】
好ましくは、支持体に固定されている取付け部材の部分は、製品の適用及び／又は適用の仕上げの役割を担うことができる細溝等のレリーフが形成された支持体の一面にさらに開口していてもよい。また、取付け部材が形成された材料を、支持体の周囲にスリーブが形成されるように、支持体の面全体にわたってさらに広げてもよい。
さらに好ましくは、支持体は、少なくとも１列のアプリケータ部材が配設された間に、第１端部と第２端部を有する。このような第１及び第２端部は、アプリケータ器具が、アプリケータ器具に所定量の製品を投与可能とするワイパー部材をより容易に通過できるような形状にされていてもよい。
第１端部及び第２端部の一方及び／又は他方は、取付け部材が製作されている材料と同じ材料で製作してもよい。
【００１６】
応力のない状態において、アプリケータ部材の列は支持体の長さ方向の対称面を通過する中面に配設されうる。あるいは、それは対称面に対してわずかに傾いた面に配設されうる。
アプリケータ部材の列は支持体に隣接する縁部に対向した自由縁部を有し、自由縁部は、場合によっては処理される繊維の性質及び／又は外形に応じて、凸部、凹部又は傾斜形状を有する。
【００１７】
また本発明の第２の側面においては、第１端部が把持部材に固定され又はこれを形成し、第１端部に対向する第２端部が本発明の第１の側面のアプリケータ器具に取り付けられたステム部を有するアプリケータが製造され、該アプリケータ器具の支持体はステム部の縦軸に平行な軸に沿った縦長の形態である。アプリケータ器具は、ステム部に圧力嵌合され、スナップ締結され、接着され又は溶接（溶着）されうる。
【００１８】
本発明においては、製品を収容する容器を具備する、ケラチン繊維、特に睫毛又は眉毛に製品を適用し包装するための装置が製作され、該容器はワイパー部材の近傍の開口部を形成し、装置は本発明のアプリケータを具備し、ワイパー部材は、アプリケータ器具がステム部に対してほぼ長さ方向に向く移動においてそこを通過するようになされたものである。取付け部材より大なる剛性を有する支持体は構造体の全体の剛性を増加させる役割を担っており、操作し、ワイパー部材へ挿入しそれを通過させることがより容易になる。
ワイパー部材は、特に弾性材料、又は連続気泡又は半連続気泡発泡体ブロックにより製作された環状リップ部からなり、スロットが軸方向にそれを通過する。
【００１９】
本発明の装置は、睫毛又は眉毛用の組成物、特にマスカラを収容し適用するために特に適している。
これまで説明した構成とは別に、本発明は、添付図面を参照して記載するいくつかの非限定的な実施態様について、以下に説明する複数の他の構成からなる。
【００２０】
【発明の実施の形態】
図１(ａ)−(ｃ)に示されるアプリケータ器具１は、支持体の第１端部に形成された前部３と支持体の第２端部に形成された後部４により画成された細長い形状の支持体２を具備している。前部と後部は、以下に後で詳細に示すように、アプリケータ器具１をワイパー部材へ挿入しこれを通過させるようにするような形状にされている。後部４は、アプリケータ器具１が以下に記載される接続ステム部に圧力嵌合されたとき、係止部を形成するように段部６を有する円筒部５が続いている。
支持体２は、曲げ係数が２４００ＭＰａのオーダーであるポリカーボネートで製作されている。２つの主要面：背面８と、背面に対向し、器具のアプリケータ部材に面する面７を有している。器具１のアプリケータ部材は剛毛の房１０の列９からなり、列９は器具１の縦軸Ｘに沿って配設されている。剛毛はナイロン-６,１２で製作されている。房１０は、およそ前部３から後部４まで延び、以下に詳細に記載する取付け部材１２の一体部分を形成する細長い形状のバルジ部１１に植設されている。
【００２１】
取付け部材１２はＰＥＢＡＸ(登録商標)で製作されている。該エラストマー材料を支持体２に形成された通路１３にそのほぼ全長にわたって注入し、一方は背面８に、他方は面７に開口する。背面８では、取付け部材が、面８の中央でわずかに膨張し、アプリケータ器具１のＸ軸に対してほぼ直角を向いた複数の細い溝１４を有する薄層１５が形成されている。
【００２２】
面７では、取付け部材には、面７のほぼ全幅にわたって延び、その厚みが面７の縦軸方向に向けてわずかに増加している層１６が形成されている。層１６には薄層部１７(支持体２の対称面に中心が位置)が続き、層１６とバルジ部位１１との間にヒンジを形成している。よって、アプリケータ器具１が睫毛と係合する際に生じる圧力に応じて、バルジ部位１１と剛毛の房１０の列９は、Ｘ軸に平行で、薄層部１７よりなるヒンジの軸に一致する軸の周りに回動可能である。
【００２３】
このような回動移動は、剛毛の房１０が睫毛(Ｃ)と係合しているときのアプリケータ器具１を示している図２の断面図に示されている。この図から分かるように、係合に応じて、バルジ部位１１とそれに取り付けられている剛毛の房１０の列９が、支持体１のＸ軸に平行で、薄層部１７により形成された関節部に一致する軸の周りに角度αにわたって回動する。よって、睫毛(Ｃ)に剛毛により作用させられる圧力は顕著に低減し、適用時により多大な快適感をもたらす。さらに、剛毛が睫毛(Ｃ)にそれ程しっかりと係合しないため、製品のより厚い被覆を付着させることができる。最後に、製品を適用する場合、特に睫毛にメークアップを施す場合、適用時の移動の終わりには、弾性変形可能な関節部１７により生じる弾性復元力に伴う加速が付随し、この加速により、睫毛をより良好にカールし、及び／又はより長くすることができる。
【００２４】
適用の終了時に、使用者は、特に睫毛の分離性を改善するために、エラストマー材料の層１５により形成された細い溝１４を仕上げ用具として使用する。あるいは、製品をアプリケータ器具に付与する方法に応じて、睫毛に製品を適用する手段として細い溝１４を使用し、ついで仕上げ用具として剛毛の列９を使用することもできる。
【００２５】
図３は、図１(ａ)−(ｃ)及び図２を参照して説明されたアプリケータ器具を備えた収容適用装置１００を示す。該装置１００はマスカラ等の化粧品の貯留物を収容する容器１０１とアプリケータ１１０を具備する。アプリケータ１１０は、器具１と同軸になったステム部１０２の一端に取り付けられたアプリケータ装置１を具備している。ステム部１０２の他端は容器１０１を閉塞するキャップをまた構成する把持部材１０５に取り付けられている。容器１０１は、ここでは一端が柔軟な環状リップ部１０７で終端する円筒状スリーブからなるワイパー部材１０６を具備している。アプリケータ１１０が容器１０１に取り付けられているとき、アプリケータ器具１は全体がワイパーリップ１０７と容器の底部との間にある。他の種類のワイパー部材も用いることができ、例えば、軸方向にスロット又は透孔が形成され、その形成縁部が負荷のないときにはほぼ連続である連続気泡又は半連続気泡発泡体のブロックが使用される。
【００２６】
アプリケータを使用するためには、使用者は把持部材１０５により形成されたキャップのネジを緩め、容器１０１からアプリケータ１１０を取り出す。そのようにすると、アプリケータ器具１はワイパー部材１０６を通過させられ、剛毛の房１０に展伸される製品量が付与される。アプリケータの引抜き移動は、アプリケータ１１０の軸に対してほぼ長さ方向になされる(アプリケータ器具１の軸に一致)。使用後、使用者は容器にアプリケータを戻し、アプリケータ器具１がワイパー部材１０６を再度通過させる。特に関節部１７における、取付け部材１２の可撓性にかかわらず、ワイパー部材１０６へのアプリケータ器具１の挿入とワイパー部材１０６の通過は、取付け部材１２が連結されている支持体２により付与された軸方向の剛性のために、容易になされる。
【００２７】
図４の実施態様では、支持体２０はほぼ正方形の横断面である。該支持体を貫通しているのは、互いに反対側に位置する２つの面８０、８１に開口する第１通路１３０と、支持体２０の他の２つの面８２、８３に開口している第２通路１３１である。これらの通路１３０及び１３１に固定された取付け部材１２０は支持体２０の４つの面８０−８３に開口し、各面８０−８３には、取付け部材が関節部を形成するそれぞれの薄層部１７０、１７１、１７２、１７３により接合されているバルジ部位１１０、１１１、１１２、１１３が形成されている。各バルジ部位１１０−１１３に配設されているのは剛毛の房の列９０、９１、９２、９３である。列９０−９３は一つの同じ面に２つずつ配設されており、２つの面は互いにほぼ垂直である。特に剛毛の密度、長さ、直径及び性質に関して、列９０−９３は、好ましくは異なる形状を有しており、よって数多くの異なった適用及び／又は仕上げの選択性がもたらされる。
【００２８】
適用時には、この実施態様の装置１によりもたらされる効果は、上述した実施態様において検討したものと同じである。使用者は、探している適用の種類に最も一致した形状の剛毛の列９０−９３を選択する。
【００２９】
図５(ａ)−(ｃ)は図１(ａ)−(ｃ)を参照して検討した実施態様と同様の実施態様を示す。剛毛が房の形状に形成されている先の実施態様と異なり、これら３つの実施態様におけるアプリケータ部材の列９は射出オーバーモールディングされた剛毛３０の列からなる。剛毛の列９の自由縁部２１は図５(ａ)の実施態様では凹状の形状になっている。それは、図５(ｂ)の実施態様では、支持体２の端部４の方向に傾斜した傾斜形状になっている。図５(ｃ)の実施態様では凸状の形状である。これら３つの実施態様の器具の残りの部分は、図１(ａ)−(ｃ)の実施態様を参照して記載したものと同様である。よって、それらを再度説明しない。同じ参照符号が、これら全ての実施態様に共通した参照部材に再度使用される。
【００３０】
図６に示された別の形態では、支持体２の端部３は、取付け部材１２が製作された材料と同じ材料により形成されている。この端部３は取付け部材１２と同時に射出オーバーモールディングされる。器具の残りの部分は、図１(ａ)−(ｃ)を参照して説明したものと同様であり、この実施態様を参照しては説明しない。この実施態様の形状により、図３を参照して記載されたワイパー部材１０６へのアプリケータ器具１の挿入を容易にすることが可能になる。
【００３１】
図７(ａ)−(ｃ)に示された実施態様は、アプリケータ部材の列９が、捻られた鉄製ワイヤーの２本の枝部からなる中心コア部３１の周囲に放射状に配設された剛毛からなる点で、図１(ａ)−(ｃ)を参照して検討したものとは異なる。取付け部材１２のバルジ部位１１には、バルジ部位１１の軸方向長さのほぼ全長にわたって延びるＣ字状の溝３３が形成されている。溝３３の長手方向の開口部３２は、支持体２から離れる方向を向いている。長手方向の開口部３２を通って出現するのは、剛毛の房１０の列９であり、その角度幅は開口部３２の角度幅に依存している。開口部３２に面するようには位置していない剛毛は、捻れ部材３１を溝３３に取り付けられる前に、全体又は一部を、捻れブラシがＣ字状の溝に容易に挿入されるように機械加工してもよい。器具の残りの部分は、図１(ａ)−(ｃ)を参照して記載されたものと同様であり、よって、この実施態様においては記載しない。
【００３２】
この最後の実施態様では、特に、捻れタイプのブラシの技術により提供される様々なメークアップ容貌とコストについて全ての効果がもたらされ、その効果には、本発明の取付け部材１２とその関節部１７によりもたらされる可撓性から生じる効果が加わる。
【００３３】
図８(ａ)−(ｃ)を参照して示された実施態様は、アプリケータ部材の列が、取付け部材１２を形成する材料と同じ材料により製作された歯状体９５の列９４からなる点で、先の実施態様とは異なる。この実施態様では、歯状体の列９４は、Ｘ軸を通過する支持体の対称面の各側に千鳥状に配設された交互の歯状体からなる。このように配置したことで、アプリケータ器具１を側方から見たとき、２つの連続した歯状体が、処理される繊維を把持し、繊維に沿った製品の展伸を促すことが可能なＶ字状を形成している。器具の残りの部分は、図１(ａ)−(ｃ)を参照して説明されたものと同様であり、よって、この実施態様においては説明しない。適用時には、アプリケータ部材の列の特定の取り付け法から生じる利点は、図２を参照して記載されたものと同じ種類のものである。
上述した詳細な説明では、本発明のいくつかの好ましい実施態様が参照された。特許請求の範囲に記載された本発明の精神を逸脱することなく、本発明に変形を加えることができることは明らかである。
【図面の簡単な説明】
【図１】  (ａ)−(ｃ)は本発明のアプリケータ器具の第１の実施態様に関する。
【図２】  本発明のアプリケータ器具の第１の実施態様に関する。
【図３】  図１(ａ)−(ｃ)で図示した器具を具備する収容適用装置を示す。
【図４】  本発明のアプリケータ器具の第２の実施態様に関する。
【図５】  (ａ)−(ｃ)は本発明のアプリケータ器具の第３、第４及び第５の実施態様に関する。
【図６】  本発明のアプリケータ器具の第６の実施態様に関する。
【図７】  (ａ)−(ｃ)は本発明のアプリケータ器具の第７の実施態様に関する。
【図８】  (ａ)−(ｃ)は本発明のアプリケータ器具の第８の実施態様に関する。
【符号の説明】
１…アプリケータ器具
１０、３０、９５…アプリケータ部材
２、２０…支持体
１２、１２０…取付け部材
１７、１７０-１７３… 関節部
１０２…ステム
１０５…把持部材
１１０…アプリケータ
１０１…容器
１０６…ワイパー部材
１００…装置
【図１】
0003776753.tif 000002
0003776753.tif 000003
0003776753.tif 000004
【図２】
0003776753.tif 000005
【図３】
0003776753.tif 000006
【図４】
0003776753.tif 000007
【図５】
0003776753.tif 000008
【図６】
0003776753.tif 000009
【図７】
0003776753.tif 000010
0003776753.tif 000011
0003776753.tif 000012
【図８】
0003776753.tif 000013
0003776753.tif 000014
0003776753.tif 000015